(57)【要約】      （修正有）【課題】設備機器管理装置群の各設備機器管理装置の通信用固定アドレスが未設定でもネットワークに接続された装置から設備機器管理装置群を選択的に検出することができる管理装置検出システム、管理装置検出方法及び管理装置検出プログラムを提供する。【解決手段】管理装置検出システムは、設備機器管理装置群に検出装置をネットワーク経由で接続して、設備機器管理装置群を検出するためのシステムである。検出装置は、第１送信部と第１受信部とを有する。設備機器管理装置群は、複数の設備機器を管理する。検出装置は、設備機器管理装置群を検出するための装置である。第１送信部は、管理装置プロセスへの問い合わせを、ネットワーク経由で送信する。管理装置プロセスは、設備機器管理装置群に特有のプロセスである。第１受信部は、管理装置返信情報をネットワーク経由で受信する。管理装置返信情報は、管理装置プロセスから返信された情報である。【選択図】図１
2005295063.tif 000002
【特許請求の範囲】
【請求項１】
複数の設備機器（３０ａａ，３０ａｂ，・・・，３０ｂａ，３０ｂｂ，・・・，３０ｃａ，３０ｃｂ，・・・，３０ｄａ，３０ｄｂ，・・・）を管理する設備機器管理装置群（２０，１２０）に、前記設備機器管理装置群（２０，１２０）を検出するための装置である検出装置（１０，１１０）をネットワーク（５０）経由で接続して、前記設備機器管理装置群（２０，１２０）を検出するための管理装置検出システム（１，１００）であって、
前記検出装置（１０，１１０）は、
前記設備機器管理装置群（２０，１２０）に特有のプロセスである管理装置プロセスへの問い合わせを、前記ネットワーク（５０）経由で送信する第１送信部（１１）と、
前記管理装置プロセスから返信された情報である管理装置返信情報を、前記ネットワーク（５０）経由で受信する第１受信部（１２）と、
を有する、
管理装置検出システム（１，１００）。
【請求項２】
前記検出装置（１０，１１０）は、
前記設備機器管理装置群（２０，１２０）の各設備機器管理装置（２０ａ，２０ｂ，２０ｃ，２０ｄ，・・・，１２０ａ，１２０ｂ，１２０ｃ，１２０ｄ，・・・）に固有の情報である管理装置固有情報を前記管理装置返信情報から抽出する抽出部（１５）をさらに有する、
請求項１に記載の管理装置検出システム（１，１００）。
【請求項３】
前記第１送信部（１１）は、前記管理装置プロセスへの前記問い合わせを、前記ネットワーク（５０）に接続された不特定の装置へ前記ネットワーク（５０）経由で送信し、
前記設備機器管理装置群（２０，１２０）の前記各設備機器管理装置（２０ａ，・・・）は、
前記管理装置プロセスへの前記問い合わせを前記ネットワーク（５０）経由で前記検出装置（１０，１１０）から受信する第２受信部（２１ａ，・・・）と、
前記問い合わせが前記管理装置プロセスに向けたものであることを認識する認識部（２５ａ，・・・）と、
前記管理装置固有情報を記憶する記憶部（２４ａ，・・・）と、
前記管理装置プロセスへの前記問い合わせに基づいて、前記管理装置返信情報に前記管理装置固有情報を含めて、前記管理装置返信情報を前記ネットワーク（５０）経由で前記検出装置（１０，１１０）へ送信する第２送信部（２２ａ，・・・）と、
を有する、
請求項２に記載の管理装置検出システム（１，１００）。
【請求項４】
前記検出装置（１０，１１０）は、
前記設備機器管理装置群（２０，１２０）の前記各設備機器管理装置（２０ａ，・・・）の前記管理装置固有情報に基づいて、前記設備機器管理装置群（２０，１２０）の前記各設備機器管理装置（２０ａ，・・・）の通信用固定アドレスが入力される入力部（１４）をさらに有し、
前記第１送信部（１１）は、前記管理装置固有情報へ対応した前記管理装置プロセスに前記管理装置固有情報へ対応した前記通信用固定アドレスを設定させる命令であるアドレス設定命令を、前記ネットワーク（５０）に接続された不特定の装置へ前記ネットワーク（５０）経由で送信し、
前記第２受信部（２１ａ，・・・）は、前記アドレス設定命令を前記ネットワーク（５０）経由で前記検出装置（１０，１１０）から受信し、
前記認識部（２５ａ，・・・）は、前記アドレス設定命令が前記管理装置固有情報へ対応した前記管理装置プロセスに向けた命令であることを認識する、
請求項３に記載の管理装置検出システム（１，１００）。
【請求項５】
前記設備機器管理装置群（２０，１２０）の前記各設備機器管理装置（２０ａ，・・・）は、
前記アドレス設定命令に基づいて、前記記憶部（２４ａ，・・・）に前記通信用固定アドレスを記憶させるアドレス設定部（２６ａ，・・・）をさらに有し、
前記記憶部（２４ａ，・・・）は、前記通信用固定アドレスをさらに記憶する、
請求項４に記載の管理装置検出システム（１，１００）。
【請求項６】
前記アドレス設定部（２６ａ，・・・）は、前記記憶部（２４ａ，・・・）に前記通信用固定アドレスを記憶させたことに応じて、前記通信用固定アドレスの設定が完了したことを示す設定完了情報を、前記第２送信部（２２ａ，・・・）へ渡し、
前記第２送信部（２２ａ，・・・）は、前記設定完了情報を前記ネットワーク（５０）経由で前記検出装置（１０，１１０）へ送信する、
請求項５に記載の管理装置検出システム（１，１００）。
【請求項７】
複数の設備機器（３０ａａ，・・・）を管理する設備機器管理装置群（２０，１２０）に、前記設備機器管理装置群（２０，１２０）を検出するための装置である検出装置（１０，１１０）がネットワーク（５０）経由で接続されて、前記設備機器管理装置群（２０，１２０）が検出される管理装置検出方法であって、
前記設備機器管理装置群（２０，１２０）に特有のプロセスである管理装置プロセスへの問い合わせが、前記ネットワーク（５０）経由で前記検出装置（１０，１１０）から送信される送信ステップと、
前記管理装置プロセスから返信された情報である管理装置返信情報が、前記ネットワーク（５０）を経由して前記検出装置（１０，１１０）で受信される受信ステップと、
を有する、
管理装置検出方法。
【請求項８】
複数の設備機器（３０ａａ，・・・）を管理する設備機器管理装置群（２０，１２０）を、前記設備機器管理装置群（２０，１２０）を検出するための装置である検出装置（１０，１１０）にネットワーク（５０）経由で検出させる管理装置検出プログラムであって、
前記設備機器管理装置群（２０，１２０）に特有のプロセスである管理装置プロセスへの問い合わせが、前記ネットワーク（５０）経由で前記検出装置（１０，１１０）から送信される送信ステップと、
前記管理装置プロセスから返信された情報である管理装置返信情報が、前記ネットワーク（５０）を経由して前記検出装置（１０，１１０）で受信される受信ステップと、
を有する、
管理装置検出プログラム。
【発明の詳細な説明】
【技術分野】
【０００１】
本発明は、管理装置検出システム、管理装置検出方法及び管理装置検出プログラムに関する。
【背景技術】
【０００２】
従来から、設備機器を管理する設備機器管理装置群の各設備機器管理装置に通信用固定アドレスを設定する場合、設備機器管理装置群をネットワークに接続する前にあらかじめ設備機器管理装置群の各設備機器管理装置に通信用固定アドレスを設定している。
【発明の開示】
【発明が解決しようとする課題】
【０００３】
しかし、従来の技術では、設備機器管理装置群の各設備機器管理装置について個別に通信用固定アドレスが設定されているため、通信用固定アドレスが重複するおそれがある。したがって、通信用固定アドレスの重複を避けるためには、ネットワークに接続されている設備機器管理装置群を検出する必要があることがある。
一方、設備機器管理装置群以外の装置がネットワークに多数接続されている場合、設備機器管理装置群以外の装置も含めて検出すると、設備機器管理装置群の各設備機器管理装置について通信用固定アドレスを設定する際の負担が増加するおそれがある。したがって、設備機器管理装置群を選択的に検出する必要があることがある。
【０００４】
そこで、本発明の課題は、設備機器管理装置群の各設備機器管理装置の通信用固定アドレスが未設定でもネットワークに接続された装置から設備機器管理装置群を選択的に検出することができる管理装置検出システム、管理装置検出方法及び管理装置検出プログラムを提供することにある。
【課題を解決するための手段】
【０００５】
請求項１に係る管理装置検出システムは、設備機器管理装置群に検出装置をネットワーク経由で接続して、設備機器管理装置群を検出するための管理装置検出システムであって、検出装置は、第１送信部と第１受信部とを有する。設備機器管理装置群は、複数の設備機器を管理する。検出装置は、設備機器管理装置群を検出するための装置である。第１送信部は、管理装置プロセスへの問い合わせを、ネットワーク経由で送信する。管理装置プロセスは、設備機器管理装置群に特有のプロセスである。第１受信部は、管理装置返信情報をネットワーク経由で受信する。管理装置返信情報は、管理装置プロセスから返信された情報である。
【０００６】
この管理装置検出システムでは、検出装置の第１送信部が、管理装置プロセスへの問い合わせを、ネットワーク経由で送信する。設備機器管理装置群の各設備機器管理装置が、管理装置プロセスへの問い合わせを、ネットワーク経由で検出装置から受信することができる。設備機器管理装置群の各設備機器管理装置が、管理装置プロセスへの問い合わせに基づいて、管理装置返信情報をネットワーク経由で検出装置へ送信することができる。検出装置の第１受信部が、管理装置返信情報をネットワーク経由で受信する。
【０００７】
したがって、設備機器管理装置群の各設備機器管理装置の管理装置プロセスへの問い合わせを送信して管理装置返信情報を受信するので、設備機器管理装置群の各設備機器管理装置の通信用固定アドレスが未設定でもネットワークに接続された複数の装置から設備機器管理装置群を選択的に検出することができる。
請求項２に係る管理装置検出システムは、請求項１に記載の管理装置検出システムであって、検出装置は、抽出部をさらに有する。抽出部は、管理装置固有情報を管理装置返信情報から抽出する。管理装置固有情報は、設備機器管理装置群の各設備機器管理装置に固有の情報である。
【０００８】
この管理装置検出システムでは、検出装置の第１送信部が、管理装置プロセスへの問い合わせを、ネットワーク経由で送信する。設備機器管理装置群の各設備機器管理装置が、管理装置プロセスへの問い合わせを、ネットワーク経由で検出装置から受信することができる。設備機器管理装置群の各設備機器管理装置が、管理装置プロセスへの問い合わせに基づいて、管理装置返信情報をネットワーク経由で検出装置へ送信することができる。検出装置の第１受信部が、管理装置返信情報をネットワーク経由で受信する。検出装置の抽出部が、管理装置返信情報を受け取ることができる。検出装置の抽出部が、管理装置固有情報を管理装置返信情報から抽出する。
【０００９】
したがって、管理装置固有情報を管理装置返信情報から抽出するので、設備機器管理装置群の各設備機器管理装置を互いに区別して検出することができる。
請求項３に係る管理装置検出システムは、請求項２に記載の管理装置検出システムであって、第１送信部は、管理装置プロセスへの問い合わせを、ネットワークに接続された不特定の装置へネットワーク経由で送信する。設備機器管理装置群の各設備機器管理装置は、第２受信部と認識部と記憶部と第２送信部とを有する。第２受信部は、管理装置プロセスへの問い合わせをネットワーク経由で検出装置から受信する。認識部は、問い合わせが管理装置プロセスに向けたものであることを認識する。記憶部は、管理装置固有情報を記憶する。第２送信部は、管理装置プロセスへの問い合わせに基づいて、管理装置返信情報に管理装置固有情報を含めて、管理装置返信情報をネットワーク経由で検出装置へ送信する。
【００１０】
この管理装置検出システムでは、検出装置の第１送信部が、管理装置プロセスへの問い合わせを、ネットワークに接続された不特定の装置へネットワーク経由で送信する。設備機器管理装置群の各設備機器管理装置の第２受信部が、管理装置プロセスへの問い合わせをネットワーク経由で検出装置から受信する。設備機器管理装置群の各設備機器管理装置の認識部が、管理装置プロセスへの問い合わせを受け取ることができる。設備機器管理装置群の各設備機器管理装置の認識部が、問い合わせが管理装置プロセスに向けたものであることを認識する。設備機器管理装置群の各設備機器管理装置の記憶部が、管理装置固有情報を記憶する。管理装置プロセスへの問い合わせに基づいた情報、すなわち認識部が認識した結果に基づいて、記憶部を参照して管理装置固有情報を取得することができる。管理装置プロセスへの問い合わせに基づいて、管理装置固有情報を含めて管理装置返信情報を生成することができる。設備機器管理装置群の各設備機器管理装置の第２送信部が、管理装置返信情報を受け取ることができる。設備機器管理装置群の各設備機器管理装置の第２送信部が、管理装置プロセスへの問い合わせに基づいて、管理装置返信情報に管理装置固有情報を含めて、管理装置返信情報をネットワーク経由で検出装置へ送信する。検出装置の第１受信部が、管理装置返信情報をネットワーク経由で受信する。検出装置の抽出部が、管理装置返信情報を受け取ることができる。検出装置の抽出部が、管理装置固有情報を管理装置返信情報から抽出する。
【００１１】
したがって、問い合わせが管理装置プロセスに向けたものであることを認識するので、管理装置プロセスへの問い合わせをネットワークに接続された不特定の装置へネットワーク経由で送信しても、設備機器管理装置群のみが管理装置返信情報を検出装置へ送信するようにすることができる。
請求項４に係る管理装置検出システムは、請求項３に記載の管理装置検出システムであって、検出装置は、入力部をさらに有する。入力部には、設備機器管理装置群の各設備機器管理装置の管理装置固有情報に基づいて、設備機器管理装置群の各設備機器管理装置の通信用固定アドレスが入力される。第１送信部は、アドレス設定命令を、ネットワークに接続された不特定の装置へネットワーク経由で送信する。アドレス設定命令は、管理装置固有情報へ対応した管理装置プロセスに、管理装置固有情報へ対応した通信用固定アドレスを設定させる命令である。第２受信部は、アドレス設定命令をネットワーク経由で検出装置から受信する。認識部は、アドレス設定命令が管理装置固有情報へ対応した管理装置プロセスに向けた命令であることを認識する。
【００１２】
この管理装置検出システムでは、検出装置の第１送信部が、管理装置プロセスへの問い合わせを、ネットワークに接続された不特定の装置へネットワーク経由で送信する。設備機器管理装置群の各設備機器管理装置の第２受信部が、管理装置プロセスへの問い合わせをネットワーク経由で検出装置から受信する。設備機器管理装置群の各設備機器管理装置の認識部が、管理装置プロセスへの問い合わせを受け取ることができる。設備機器管理装置群の各設備機器管理装置の認識部が、問い合わせが管理装置プロセスに向けたものであることを認識する。設備機器管理装置群の各設備機器管理装置の記憶部が、管理装置固有情報を記憶する。管理装置プロセスへの問い合わせに基づいた情報、すなわち認識部が認識した結果に基づいて、記憶部を参照して管理装置固有情報を取得することができる。管理装置プロセスへの問い合わせに基づいて、管理装置固有情報を含めて管理装置返信情報を生成することができる。設備機器管理装置群の各設備機器管理装置の第２送信部が、管理装置返信情報を受け取ることができる。設備機器管理装置群の各設備機器管理装置の第２送信部が、管理装置プロセスへの問い合わせに基づいて、管理装置返信情報に管理装置固有情報を含めて、管理装置返信情報をネットワーク経由で検出装置へ送信する。検出装置の第１受信部が、管理装置返信情報をネットワーク経由で受信する。検出装置の抽出部が、管理装置返信情報を受け取ることができる。検出装置の抽出部が、管理装置固有情報を管理装置返信情報から抽出する。検出装置の入力部に、設備機器管理装置群の各設備機器管理装置の管理装置固有情報に基づいて、設備機器管理装置群の各設備機器管理装置の通信用固定アドレスが入力される。検出装置の入力部に入力された通信用固定アドレスに基づいて、アドレス設定命令を生成することができる。検出装置の第１送信部が、アドレス設定命令を受け取ることができる。検出装置の第１送信部が、アドレス設定命令を、ネットワークに接続された不特定の装置へネットワーク経由で送信する。設備機器管理装置群の各設備機器管理装置の第２受信部が、アドレス設定命令をネットワーク経由で検出装置から受信する。設備機器管理装置群の各設備機器管理装置の認識部が、アドレス設定命令を受け取ることができる。設備機器管理装置群の各設備機器管理装置の認識部が、アドレス設定命令が管理装置固有情報へ対応した管理装置プロセスに向けた命令であることを認識する。
【００１３】
したがって、アドレス設定命令が管理装置固有情報へ対応した管理装置プロセスに向けた命令であることを認識するので、アドレス設定命令をネットワークに接続された不特定の装置へネットワーク経由で送信しても、設備機器管理装置群のうち管理装置固有情報に対応した装置のみがアドレス設定命令に従うべきであると認識することができる。
請求項５に係る管理装置検出システムは、請求項４に記載の管理装置検出システムであって、設備機器管理装置群の各設備機器管理装置は、アドレス設定部をさらに有する。アドレス設定部は、アドレス設定命令に基づいて、記憶部に通信用固定アドレスを記憶させる。記憶部は、通信用固定アドレスをさらに記憶する。
【００１４】
この管理装置検出システムでは、検出装置の第１送信部が、管理装置プロセスへの問い合わせを、ネットワークに接続された不特定の装置へネットワーク経由で送信する。設備機器管理装置群の各設備機器管理装置の第２受信部が、管理装置プロセスへの問い合わせをネットワーク経由で検出装置から受信する。設備機器管理装置群の各設備機器管理装置の認識部が、管理装置プロセスへの問い合わせを受け取ることができる。設備機器管理装置群の各設備機器管理装置の認識部が、問い合わせが管理装置プロセスに向けたものであることを認識する。設備機器管理装置群の各設備機器管理装置の記憶部が、管理装置固有情報を記憶する。管理装置プロセスへの問い合わせに基づいた情報、すなわち認識部が認識した結果に基づいて、記憶部を参照して管理装置固有情報を取得することができる。管理装置プロセスへの問い合わせに基づいて、管理装置固有情報を含めて管理装置返信情報を生成することができる。設備機器管理装置群の各設備機器管理装置の第２送信部が、管理装置返信情報を受け取ることができる。設備機器管理装置群の各設備機器管理装置の第２送信部が、管理装置プロセスへの問い合わせに基づいて、管理装置返信情報に管理装置固有情報を含めて、管理装置返信情報をネットワーク経由で検出装置へ送信する。検出装置の第１受信部が、管理装置返信情報をネットワーク経由で受信する。検出装置の抽出部が、管理装置返信情報を受け取ることができる。検出装置の抽出部が、管理装置固有情報を管理装置返信情報から抽出する。検出装置の入力部に、設備機器管理装置群の各設備機器管理装置の管理装置固有情報に基づいて、設備機器管理装置群の各設備機器管理装置の通信用固定アドレスが入力される。検出装置の入力部に入力された通信用固定アドレスに基づいて、アドレス設定命令を生成することができる。検出装置の第１送信部が、アドレス設定命令を受け取ることができる。検出装置の第１送信部が、アドレス設定命令を、ネットワークに接続された不特定の装置へネットワーク経由で送信する。設備機器管理装置群の各設備機器管理装置の第２受信部が、アドレス設定命令をネットワーク経由で検出装置から受信する。設備機器管理装置群の各設備機器管理装置の認識部が、アドレス設定命令を受け取ることができる。設備機器管理装置群の各設備機器管理装置の認識部が、アドレス設定命令が管理装置固有情報へ対応した管理装置プロセスに向けた命令であることを認識する。設備機器管理装置群の各設備機器管理装置のアドレス設定部が、アドレス設定命令に基づいた情報、すなわち認識部が認識した結果の情報を受け取ることができる。設備機器管理装置群の各設備機器管理装置のアドレス設定部が、アドレス設定命令に基づいて、記憶部に通信用固定アドレスを記憶させる。設備機器管理装置群の各設備機器管理装置の記憶部が、通信用固定アドレスをさらに記憶する。
【００１５】
したがって、アドレス設定命令に基づいて記憶部に通信用固定アドレスを記憶させるので、管理装置固有情報へ対応した管理装置プロセスに、管理装置固有情報へ対応した通信用固定アドレスを設定させることができる。
請求項６に係る管理装置検出システムは、請求項５に記載の管理装置検出システムであって、アドレス設定部は、記憶部に通信用固定アドレスを記憶させたことに応じて、設定完了情報を第２送信部へ渡す。設定完了情報は、通信用固定アドレスの設定が完了したことを示す。第２送信部は、設定完了情報をネットワーク経由で検出装置へ送信する。
【００１６】
この管理装置検出システムでは、検出装置の第１送信部が、管理装置プロセスへの問い合わせを、ネットワークに接続された不特定の装置へネットワーク経由で送信する。設備機器管理装置群の各設備機器管理装置の第２受信部が、管理装置プロセスへの問い合わせをネットワーク経由で検出装置から受信する。設備機器管理装置群の各設備機器管理装置の認識部が、管理装置プロセスへの問い合わせを受け取ることができる。設備機器管理装置群の各設備機器管理装置の認識部が、問い合わせが管理装置プロセスに向けたものであることを認識する。設備機器管理装置群の各設備機器管理装置の記憶部が、管理装置固有情報を記憶する。管理装置プロセスへの問い合わせに基づいた情報、すなわち認識部が認識した結果に基づいて、記憶部を参照して管理装置固有情報を取得することができる。管理装置プロセスへの問い合わせに基づいて、管理装置固有情報を含めて管理装置返信情報を生成することができる。設備機器管理装置群の各設備機器管理装置の第２送信部が、管理装置返信情報を受け取ることができる。設備機器管理装置群の各設備機器管理装置の第２送信部が、管理装置プロセスへの問い合わせに基づいて、管理装置返信情報に管理装置固有情報を含めて、管理装置返信情報をネットワーク経由で検出装置へ送信する。検出装置の第１受信部が、管理装置返信情報をネットワーク経由で受信する。検出装置の抽出部が、管理装置返信情報を受け取ることができる。検出装置の抽出部が、管理装置固有情報を管理装置返信情報から抽出する。検出装置の入力部に、設備機器管理装置群の各設備機器管理装置の管理装置固有情報に基づいて、設備機器管理装置群の各設備機器管理装置の通信用固定アドレスが入力される。検出装置の入力部に入力された通信用固定アドレスに基づいて、アドレス設定命令を生成することができる。検出装置の第１送信部が、アドレス設定命令を受け取ることができる。検出装置の第１送信部が、アドレス設定命令を、ネットワークに接続された不特定の装置へネットワーク経由で送信する。設備機器管理装置群の各設備機器管理装置の第２受信部が、アドレス設定命令をネットワーク経由で検出装置から受信する。設備機器管理装置群の各設備機器管理装置の認識部が、アドレス設定命令を受け取ることができる。設備機器管理装置群の各設備機器管理装置の認識部が、アドレス設定命令が管理装置固有情報へ対応した管理装置プロセスに向けた命令であることを認識する。設備機器管理装置群の各設備機器管理装置のアドレス設定部が、アドレス設定命令に基づいた情報、すなわち認識部が認識した結果の情報を受け取ることができる。設備機器管理装置群の各設備機器管理装置のアドレス設定部が、アドレス設定命令に基づいて、記憶部に通信用固定アドレスを記憶させる。設備機器管理装置群の各設備機器管理装置の記憶部が、通信用固定アドレスをさらに記憶する。設備機器管理装置群の各設備機器管理装置のアドレス設定部が、記憶部に通信用固定アドレスを記憶させたことに応じて、設定完了情報を第２送信部へ渡す。設備機器管理装置群の各設備機器管理装置の第２送信部が、設定完了情報をネットワーク経由で検出装置へ送信する。
【００１７】
したがって、設定完了情報をネットワーク経由で検出装置へ送信するので、検出装置の第１受信部が設定完了情報をネットワーク経由で受信することができる。このため、検出装置において通信用固定アドレスの設定が完了したことを把握することができる。
請求項７に係る管理装置検出方法は、設備機器管理装置群に検出装置がネットワーク経由で接続されて、設備機器管理装置群が検出される管理装置検出方法であって、送信ステップと受信ステップとを有する。設備機器管理装置群は、複数の設備機器を管理する。検出装置は、設備機器管理装置群を検出するための装置である。送信ステップでは、管理装置プロセスへの問い合わせが、ネットワーク経由で検出装置から送信される。管理装置プロセスは、設備機器管理装置群に特有のプロセスである。受信ステップでは、管理装置返信情報が、ネットワークを経由して検出装置で受信される。管理装置返信情報は、管理装置プロセスから返信された情報である。
【００１８】
この管理装置検出方法では、送信ステップにおいて、管理装置プロセスへの問い合わせが、ネットワーク経由で送信される。送信ステップにおいて、管理装置プロセスへの問い合わせが、ネットワーク経由で検出装置から受信され得る。送信ステップにおいて、管理装置プロセスへの問い合わせに基づいて、管理装置返信情報がネットワーク経由で検出装置へ送信され得る。受信ステップにおいて、管理装置返信情報がネットワーク経由で受信される。
【００１９】
したがって、設備機器管理装置群の各設備機器管理装置の管理装置プロセスへ問い合わせを送信して管理装置返信情報を受信するので、設備機器管理装置群の各設備機器管理装置の通信用固定アドレスが未設定でもネットワークに接続された複数の装置から設備機器管理装置群を選択的に検出することができる。
請求項８に係る管理装置検出プログラムは、設備機器管理装置群を検出装置にネットワーク経由で検出させる管理装置検出プログラムであって、送信ステップと受信ステップとを有する。設備機器管理装置群は、複数の設備機器を管理する。検出装置は、設備機器管理装置群を検出するための装置である。送信ステップでは、管理装置プロセスへの問い合わせが、ネットワーク経由で検出装置から送信される。管理装置プロセスは、設備機器管理装置群に特有のプロセスである。受信ステップでは、管理装置返信情報が、ネットワークを経由して検出装置で受信される。管理装置返信情報は、管理装置プロセスから返信された情報である。
【００２０】
この管理装置検出プログラムでは、送信ステップにおいて、管理装置プロセスへの問い合わせが、ネットワーク経由で送信される。送信ステップにおいて、管理装置プロセスへの問い合わせが、ネットワーク経由で検出装置から受信され得る。送信ステップにおいて、管理装置プロセスへの問い合わせに基づいて、管理装置返信情報がネットワーク経由で検出装置へ送信され得る。受信ステップにおいて、管理装置返信情報がネットワーク経由で受信される。
【００２１】
したがって、設備機器管理装置群の各設備機器管理装置の管理装置プロセスへ問い合わせを送信して管理装置返信情報を受信するので、設備機器管理装置群の各設備機器管理装置の通信用固定アドレスが未設定でもネットワークに接続された複数の装置から設備機器管理装置群を選択的に検出することができる。
【発明の効果】
【００２２】
請求項１に係る管理装置検出システムでは、設備機器管理装置群の各設備機器管理装置の管理装置プロセスへの問い合わせを送信して管理装置返信情報を受信するので、設備機器管理装置群の各設備機器管理装置の通信用固定アドレスが未設定でもネットワークに接続された複数の装置から設備機器管理装置群を選択的に検出することができる。
請求項２に係る管理装置検出システムでは、管理装置固有情報を管理装置返信情報から抽出するので、設備機器管理装置群の各設備機器管理装置を互いに区別して検出することができる。
【００２３】
請求項３に係る管理装置検出システムでは、問い合わせが管理装置プロセスに向けたものであることを認識するので、管理装置プロセスへの問い合わせをネットワークに接続された不特定の装置へネットワーク経由で送信しても、設備機器管理装置群のみが管理装置返信情報を検出装置へ送信するようにすることができる。
請求項４に係る管理装置検出システムでは、アドレス設定命令が管理装置固有情報へ対応した管理装置プロセスに向けた命令であることを認識するので、アドレス設定命令をネットワークに接続された不特定の装置へネットワーク経由で送信しても、設備機器管理装置群のうち管理装置固有情報に対応した装置のみがアドレス設定命令に従うべきであると認識することができる。
【００２４】
請求項５に係る管理装置検出システムでは、アドレス設定命令に基づいて記憶部に通信用固定アドレスを記憶させるので、管理装置固有情報へ対応した管理装置プロセスに、管理装置固有情報へ対応した通信用固定アドレスを設定させることができる。
請求項６に係る管理装置検出システムでは、設定完了情報をネットワーク経由で検出装置へ送信するので、検出装置の第１受信部が設定完了情報をネットワーク経由で受信することができる。このため、検出装置において通信用固定アドレスの設定が完了したことを把握することができる。
【００２５】
請求項７に係る管理装置検出方法では、設備機器管理装置群の各設備機器管理装置の管理装置プロセスへ問い合わせを送信して管理装置返信情報を受信するので、設備機器管理装置群の各設備機器管理装置の通信用固定アドレスが未設定でもネットワークに接続された複数の装置から設備機器管理装置群を選択的に検出することができる。
請求項８に係る管理装置検出プログラムでは、設備機器管理装置群の各設備機器管理装置の管理装置プロセスへ問い合わせを送信して管理装置返信情報を受信するので、設備機器管理装置群の各設備機器管理装置の通信用固定アドレスが未設定でもネットワークに接続された複数の装置から設備機器管理装置群を選択的に検出することができる。
【発明を実施するための最良の形態】
【００２６】
［第１実施形態］
図１に、本発明の第１実施形態にかかる管理装置検出システム１の構成図を示す。また、本発明の第１実施形態にかかる管理装置検出システム１の構成要素の構成図を図２，図３に示す。管理装置検出システム１は、主として、設備機器管理装置群２０（２０ａ，２０ｂ，・・・）を検出するためのシステムである。
【００２７】
＜管理装置検出システム１の全体構成＞
図１に示す管理装置検出システム１は、主として検出装置１０、設備機器管理装置群２０（２０ａ，２０ｂ，・・・）、設備機器群３０（３０ａ，３０ｂ，・・・）、端末装置群４０（４０ａ，４０ｂ，・・・）、ネットワーク５０及びネットワーク６０を備える。
検出装置１０、設備機器管理装置群２０（２０ａ，２０ｂ，・・・）及び端末装置群４０（４０ａ，４０ｂ，・・・）は、ネットワーク５０で互いに接続されている。設備機器管理装置群２０（２０ａ，２０ｂ，・・・）と設備機器群３０（３０ａ，３０ｂ，・・・）とは、ネットワーク６０で接続されている。
【００２８】
＜検出装置１０の構成＞
図１に示す検出装置１０は、図２に示すように、主として、第１送信部１１，第１受信部１２，制御部１３，入力部１４及び抽出部１５を備える。
管理装置プロセス２７ａ，・・・（図３参照）への問い合わせが入力部１４に入力される。制御部１３が、管理装置プロセス２７ａ，・・・（図３参照）への問い合わせを、入力部１４から受け取り、第１送信部１１へ渡す。第１送信部１１が、管理装置プロセス２７ａ，・・・（図３参照）への問い合わせを、ネットワーク５０に接続された不特定の装置へネットワーク５０経由で送信する。
【００２９】
第１受信部１２が、管理装置返信情報をネットワーク５０経由で設備機器管理装置２０ａ，・・・（図１参照）から受信する。抽出部１５が、管理装置返信情報を制御部１３経由で第１受信部１２から受け取る。抽出部１５が、管理装置固有情報２８ａ，・・・（図３参照）を管理装置返信情報から抽出する。入力部１４に、設備機器管理装置２０ａ，・・・（図１参照）の管理装置固有情報２８ａ，・・・（図３参照）に基づいて、設備機器管理装置群２０の各設備機器管理装置２０ａ，・・・（図１参照）の通信用固定アドレスが入力される。ここで、通信用固定アドレスは、ＩＰｖ４のＩＰアドレスである。制御部１３が、入力部１４に入力された通信用固定アドレスに基づいて、アドレス設定命令を生成する。ここで、アドレス設定命令は、管理装置固有情報２８ａ，・・・（図３参照）へ対応した管理装置プロセス２７ａ，・・・（図３参照）に、管理装置固有情報２８ａ，・・・（図３参照）へ対応した通信用固定アドレスを設定させる命令である。第１送信部１１が、アドレス設定命令を制御部１３から受け取る。第１送信部１１が、アドレス設定命令を、ネットワーク５０に接続された不特定の装置へネットワーク５０経由で送信する。
【００３０】
第１受信部１２が、設定完了情報を設備機器管理装置２０ａ，・・・（図１参照）からネットワーク５０経由で受信する。
＜設備機器管理装置群２０（２０ａ，２０ｂ，・・・）の構成＞
図１に示す設備機器管理装置２０ａは、図３に示すように、主として、第２受信部２１ａ，第２送信部２２ａ，制御部２３ａ，記憶部２４ａ，認識部２５ａ及びアドレス設定部２６ａを備える。記憶部２４ａには、管理装置プロセス２７ａと管理装置固有情報２８ａとが記憶されている。
【００３１】
制御部２３ａが、設備機器管理装置２０ａが起動された際に、記憶部２４ａを参照し、管理装置プロセス２７ａを起動させる。ここで、管理装置プロセス２７ａは、設備機器管理装置群２０（２０ａ，２０ｂ，・・・）に特有のプロセスである。
第２受信部２１ａが、管理装置プロセス２７ａへの問い合わせをネットワーク５０経由で検出装置１０から受信する。認識部２５ａが、管理装置プロセス２７ａへの問い合わせを、制御部２３ａ経由で第２受信部２１ａから受け取る。認識部２５ａが、問い合わせが管理装置プロセス２７ａに向けたものであることを認識する。記憶部２４ａが、管理装置固有情報２８ａを記憶する。制御部２３ａが、管理装置プロセス２７ａへの問い合わせに基づいた情報、すなわち認識部２５ａが認識した結果に基づいて、記憶部２４ａを参照して管理装置固有情報２８ａを取得する。制御部２３ａが、管理装置プロセス２７ａへの問い合わせに基づいて、管理装置固有情報２８ａを含めて管理装置返信情報を生成する。第２送信部２２ａが、管理装置返信情報を制御部２３ａから受け取る。第２送信部２２ａが、管理装置プロセス２７ａへの問い合わせに基づいて、管理装置返信情報に管理装置固有情報２８ａを含めて、管理装置返信情報をネットワーク５０経由で検出装置１０へ送信する。
【００３２】
第２受信部２１ａが、アドレス設定命令をネットワーク５０経由で検出装置１０から受信する。認識部２５ａが、アドレス設定命令を、制御部２３ａ経由で第２受信部２１ａから受け取る。認識部２５ａが、アドレス設定命令が管理装置固有情報２８ａへ対応した管理装置プロセスに向けた命令であることを認識する。アドレス設定部２６ａが、アドレス設定命令に基づいた情報、すなわち認識部２５ａが認識した結果の情報を、制御部２３ａ経由で認識部２５ａから受け取る。アドレス設定部２６ａが、アドレス設定命令に基づいて、記憶部２４ａに通信用固定アドレスを記憶させる。記憶部２４ａが、通信用固定アドレスをさらに記憶する。アドレス設定部２６ａが、記憶部２４ａに通信用固定アドレスを記憶させたことに応じて、設定完了情報を制御部２３ａ経由で第２送信部２２ａへ渡す。ここで、設定完了情報は、通信用固定アドレスの設定が完了したことを示す情報である。第２送信部２２ａが、設定完了情報をネットワーク５０経由で検出装置１０へ送信する。
【００３３】
他の設備機器管理装置２０ｂ，・・・も、設備機器管理装置２０ａと同様である。
＜設備機器群３０（３０ａ，３０ｂ，・・・）の構成＞
図１に示す設備機器群３０（３０ａ，３０ｂ，・・・）は、主として、設備機器群３０ａ，３０ｂ，・・・を備える。設備機器群３０ａ，３０ｂ，・・・は、設備機器３０ａａ，３０ａｂ，・・・３０ｂａ，３０ｂｂ，・・・を備える。
【００３４】
設備機器群３０ａ，３０ｂ，・・・は、それぞれ、設備機器管理装置２０ａ，２０ｂ，・・・により管理される。
＜端末装置群４０（４０ａ，４０ｂ，・・・）＞
図１に示す端末装置群４０（４０ａ，４０ｂ，・・・）は、通常のパーソナルコンピュータ（ＰＣ、Ｍａｃｉｎｔｏｓｈ（登録商標）など）又はエンジニアリングワークステーション（ＥＷＳ）などと同様の構成である。端末装置群４０（４０ａ，４０ｂ，・・・）には、すでに通信用固定アドレスが設定されている。なお、管理装置プロセス２７ａ，・・・（図３参照）は、設備機器管理装置群２０（２０ａ，２０ｂ，・・・）に特有のプロセスであるので、端末装置群４０（４０ａ，４０ｂ，・・・）に備えられていない。
【００３５】
＜管理装置検出システム１が設備機器管理装置群２０（２０ａ，２０ｂ，・・・）を検出する処理の流れ＞
図１に示す管理装置検出システム１が設備機器管理装置群２０（２０ａ，２０ｂ，・・・）を検出する処理の流れを、図４，図５に示すフローチャートを用いて説明する。
図４に示すステップＳ１では、検出装置が接続される。すなわち、図３に示すような設備機器管理装置２０ａ，・・・の制御部２３ａ，・・・により、設備機器管理装置２０ａ，・・・が起動された際に、記憶部２４ａ，・・・が参照され、管理装置プロセス２７ａ，・・・が起動される。ここで、管理装置プロセス２７ａ，・・・は、設備機器管理装置群２０（２０ａ，２０ｂ，・・・）に特有のプロセスである。図１に示す検出装置１０がネットワーク５０に接続される。
【００３６】
図４に示すステップＳ２では、問い合わせが送信される。すなわち、管理装置プロセス２７ａ，・・・（図３参照）への問い合わせが、図２に示す検出装置１０の入力部１４に入力される。制御部１３により、管理装置プロセス２７ａ，・・・（図３参照）への問い合わせが、入力部１４から受け取られ、第１送信部１１へ渡される。第１送信部１１により、管理装置プロセス２７ａ，・・・（図３参照）への問い合わせが、ネットワーク５０に接続された不特定の装置へネットワーク５０経由で送信される。
【００３７】
図４に示すステップＳ３では、問い合わせが受信される。すなわち、図３に示す設備機器管理装置２０ａ，・・・の第２受信部２１ａ，・・・により、管理装置プロセス２７ａ，・・・への問い合わせがネットワーク５０経由で検出装置１０から受信される。認識部２５ａ，・・・により、管理装置プロセス２７ａ，・・・への問い合わせが、制御部２３ａ，・・・経由で第２受信部２１ａ，・・・から受け取られる。認識部２５ａ，・・・により、問い合わせが管理装置プロセス２７ａ，・・・に向けたものであることが認識される。
【００３８】
図４に示すステップＳ４では、管理装置返信情報が送信される。すなわち、図３に示す設備機器管理装置２０ａ，・・・の記憶部２４ａ，・・・により、管理装置固有情報２８ａ，・・・が記憶される。制御部２３ａ，・・・により、管理装置プロセス２７ａ，・・・への問い合わせに基づいた情報、すなわち認識部２５ａ，・・・が認識した結果に基づいて、記憶部２４ａ，・・・が参照されて管理装置固有情報２８ａ，・・・が取得される。制御部２３ａ，・・・により、管理装置プロセス２７ａ，・・・への問い合わせに基づいて、管理装置固有情報２８ａ，・・・を含めて管理装置返信情報が生成される。第２送信部２２ａ，・・・により、管理装置返信情報が制御部２３ａ，・・・から受け取られる。第２送信部２２ａ，・・・により、管理装置プロセス２７ａ，・・・への問い合わせに基づいて、管理装置返信情報に管理装置固有情報２８ａ，・・・が含められて、管理装置返信情報がネットワーク５０経由で検出装置１０へ送信される。
【００３９】
図４に示すステップＳ５では、管理装置返信情報が受信される。すなわち、図２に示す検出装置１０の第１受信部１２により、管理装置返信情報がネットワーク５０経由で設備機器管理装置２０ａ，・・・（図１参照）から受信される。抽出部１５により、管理装置返信情報が制御部１３経由で第１受信部１２から受け取られる。抽出部１５により、管理装置固有情報２８ａ，・・・（図３参照）が管理装置返信情報から抽出される（図４で示す（１））。
【００４０】
図４に示すステップＳ６では、アドレス設定命令が送信される。すなわち、図２に示す検出装置１０の入力部１４に、設備機器管理装置２０ａ，・・・（図１参照）の管理装置固有情報２８ａ，・・・（図３参照）に基づいて、設備機器管理装置群２０の各設備機器管理装置２０ａ，・・・（図１参照）の通信用固定アドレスが入力される。ここで、通信用固定アドレスは、ＩＰｖ４のＩＰアドレスである。制御部１３により、入力部１４に入力された通信用固定アドレスに基づいて、アドレス設定命令が生成される。ここで、アドレス設定命令は、管理装置固有情報２８ａ，・・・（図３参照）へ対応した管理装置プロセス２７ａ，・・・（図３参照）に、管理装置固有情報２８ａ，・・・（図３参照）へ対応した通信用固定アドレスを設定させる命令である。第１送信部１１により、アドレス設定命令を制御部１３から受け取られる。第１送信部１１により、アドレス設定命令が、ネットワーク５０に接続された不特定の装置へネットワーク５０経由で送信される。
【００４１】
図４に示すステップＳ７では、アドレス設定命令が受信される。すなわち、図３に示す設備機器管理装置２０ａ，・・・の第２受信部２１ａ，・・・により、アドレス設定命令がネットワーク５０経由で検出装置１０から受信される。認識部２５ａ，・・・により、アドレス設定命令が、制御部２３ａ，・・・経由で第２受信部２１ａ，・・・から受け取られる。認識部２５ａ，・・・により、アドレス設定命令が管理装置固有情報２８ａ，・・・へ対応した管理装置プロセスに向けた命令であることが認識される。アドレス設定部２６ａ，・・・により、アドレス設定命令に基づいた情報、すなわち認識部２５ａ，・・・が認識した結果の情報が、制御部２３ａ，・・・経由で認識部２５ａ，・・・から受け取られる。アドレス設定部２６ａ，・・・により、アドレス設定命令に基づいて、記憶部２４ａ，・・・に通信用固定アドレスが記憶される。記憶部２４ａ，・・・により、通信用固定アドレスがさらに記憶される（図４，図５で示す（２））。
【００４２】
図５に示すステップＳ８では、設定完了情報が送信される。すなわち、図３に示す設備機器管理装置２０ａ，・・・のアドレス設定部２６ａ，・・・により、記憶部２４ａ，・・・に通信用固定アドレスが記憶されたことに応じて、設定完了情報が制御部２３ａ，・・・経由で第２送信部２２ａ，・・・へ渡される。ここで、設定完了情報は、通信用固定アドレスの設定が完了したことを示す情報である。第２送信部２２ａ，・・・により、設定完了情報がネットワーク５０経由で検出装置１０へ送信される。
【００４３】
図５に示すステップＳ９では、設定完了情報が受信される。すなわち、図２に示す検出装置１０の第１受信部１２により、設定完了情報が設備機器管理装置２０ａ，・・・（図１参照）からネットワーク５０経由で受信される。
図５に示すステップＳ１０では、全ての設備機器管理装置２０ａ，・・・（図１参照）について通信用固定アドレスが設定されたか否かが判断される。全ての設備機器管理装置２０ａ，・・・（図１参照）について設定されたと判断された場合、ステップＳ１１へ進められ、全ての設備機器管理装置２０ａ，・・・（図１参照）について設定されていないと判断された場合、ステップＳ６（図５，図４で示す（１））へ進められる。
【００４４】
図５に示すステップＳ１１では、検出装置が切り離される。すなわち、図１に示す検出装置１０がネットワーク５０から切り離される。
＜管理装置検出システム１が設備機器管理装置群２０（２０ａ，２０ｂ，・・・）を検出する際のデータの流れ＞
図１に示す管理装置検出システム１が設備機器管理装置群２０（２０ａ，２０ｂ，・・・）を検出する際のデータの流れを、図６に示すデータフロー図を用いて説明する。なお、管理装置検出システム１が設備機器管理装置２０ａを検出する場合について説明するが、管理装置検出システム１が他の設備機器管理装置２０ｂ，・・・を検出する場合についても同様である。
【００４５】
図６に示すように、検出装置１０から設備機器管理装置２０ａへパケットＰ１が送信される。パケットＰ１の送信先アドレスは、ブロードキャストである。これにより、パケットＰ１は、ネットワーク５０（図１参照）に接続された不特定の装置へ送信される。パケットＰ１の送信元アドレスは、検出装置１０の通信用固定アドレスである。パケットＰ１の内容は、管理装置プロセス２７ａ，・・・（図３参照）への問い合わせの情報である。
【００４６】
次に、設備機器管理装置２０ａから検出装置１０へパケットＰ２が送信される。パケットＰ２の送信先アドレスは、検出装置１０の通信用固定アドレスである。パケットＰ２の送信元アドレスは、設備機器管理装置２０ａに通信用固定アドレスがまだ設定されていないので、不定である。パケットＰ２の内容は、管理装置固有情報２８ａ，・・・（図３参照）を含んだ管理装置返信情報である。
【００４７】
そして、検出装置１０から設備機器管理装置２０ａへパケットＰ３が送信される。パケットＰ３の送信先アドレスは、ブロードキャストである。これにより、パケットＰ３は、ネットワーク５０（図１参照）に接続された不特定の装置へ送信される。パケットＰ３の送信元アドレスは、検出装置１０の通信用固定アドレスである。パケットＰ３の内容は、アドレス設定命令である。
【００４８】
それから、設備機器管理装置２０ａから検出装置１０へパケットＰ４が送信される。パケットＰ４の送信先アドレスは、検出装置１０の通信用固定アドレスである。パケットＰ４の送信元アドレスは、設備機器管理装置２０ａに通信用固定アドレスが設定されたので、設備機器管理装置２０ａの通信用固定アドレスである。パケットＰ４の内容は、設定完了情報である。
【００４９】
＜管理装置検出システム１に関する特徴＞
（１）
ここでは、図２に示す検出装置１０の第１送信部１１が、管理装置プロセス２７ａ，・・・（図３参照）への問い合わせを、ネットワーク５０経由で送信する。設備機器管理装置群２０（２０ａ，・・・）の各設備機器管理装置２０ａ，・・・が、管理装置プロセス２７ａ，・・・（図３参照）への問い合わせを、ネットワーク５０経由で検出装置１０から受信する。設備機器管理装置群２０（２０ａ，・・・）の各設備機器管理装置２０ａ，・・・が、管理装置プロセス２７ａ，・・・（図３参照）への問い合わせに基づいて、管理装置返信情報をネットワーク５０経由で検出装置１０へ送信する。検出装置１０の第１受信部１２が、管理装置返信情報をネットワーク５０経由で受信する。
【００５０】
したがって、設備機器管理装置群２０（２０ａ，・・・）の各設備機器管理装置２０ａ，・・・の管理装置プロセス２７ａ，・・・（図３参照）への問い合わせを送信して管理装置返信情報を受信するので、設備機器管理装置群２０（２０ａ，・・・）の各設備機器管理装置２０ａ，・・・の通信用固定アドレスが未設定でもネットワーク５０に接続された複数の装置から設備機器管理装置群２０（２０ａ，・・・）を選択的に検出することが可能である。
【００５１】
（２）
ここでは、図２に示す検出装置１０の第１送信部１１が、管理装置プロセス２７ａ，・・・（図３参照）への問い合わせを、ネットワーク５０経由で送信する。設備機器管理装置群２０（２０ａ，・・・）の各設備機器管理装置２０ａ，・・・が、管理装置プロセス２７ａ，・・・（図３参照）への問い合わせを、ネットワーク５０経由で検出装置１０から受信する。設備機器管理装置群２０（２０ａ，・・・）の各設備機器管理装置２０ａ，・・・が、管理装置プロセス２７ａ，・・・（図３参照）への問い合わせに基づいて、管理装置返信情報をネットワーク５０経由で検出装置１０へ送信する。検出装置１０の第１受信部１２が、管理装置返信情報をネットワーク５０経由で受信する。検出装置１０の抽出部１５が、管理装置返信情報を、制御部１３経由で第１受信部１２から受け取る。検出装置１０の抽出部１５が、管理装置固有情報２８ａ，・・・（図３参照）を管理装置返信情報から抽出する。
【００５２】
したがって、管理装置固有情報２８ａ，・・・（図３参照）を管理装置返信情報から抽出するので、設備機器管理装置群２０（２０ａ，・・・）の各設備機器管理装置２０ａ，・・・を互いに区別して検出することが可能である。
（３）
ここでは、図２に示す検出装置１０の第１送信部１１が、管理装置プロセス２７ａ，・・・（図３参照）への問い合わせを、ネットワーク５０経由で送信する。図３に示す設備機器管理装置群２０（２０ａ，・・・）の各設備機器管理装置２０ａ，・・・の第２受信部２１ａ，・・・が、管理装置プロセス２７ａ，・・・への問い合わせをネットワーク５０経由で検出装置１０から受信する。各設備機器管理装置２０ａ，・・・の認識部２５ａ，・・・が、管理装置プロセス２７ａ，・・・への問い合わせを、制御部２３ａ，・・・経由で第２受信部２１ａ，・・・から受け取る。各設備機器管理装置２０ａ，・・・の認識部２５ａ，・・・が、問い合わせが管理装置プロセス２７ａ，・・・に向けたものであることを認識する。各設備機器管理装置２０ａ，・・・の記憶部２４ａ，・・・が、管理装置固有情報２８ａ，・・・を記憶する。制御部２３ａ，・・・が、管理装置プロセス２７ａ，・・・への問い合わせに基づいた情報、すなわち認識部２５ａ，・・・が認識した結果に基づいて、記憶部２４ａ，・・・を参照して管理装置固有情報２８ａ，・・・を取得する。制御部２３ａ，・・・が、管理装置プロセス２７ａ，・・・への問い合わせに基づいて、管理装置固有情報２８ａ，・・・を含めて管理装置返信情報を生成する。各設備機器管理装置２０ａ，・・・の第２送信部２２ａ，・・・が、管理装置返信情報を制御部２３ａ，・・・から受け取る。各設備機器管理装置２０ａ，・・・の第２送信部２２ａ，・・・が、管理装置プロセス２７ａ，・・・への問い合わせに基づいて、管理装置返信情報に管理装置固有情報２８ａ，・・・を含めて、管理装置返信情報をネットワーク５０経由で検出装置１０へ送信する。検出装置１０の第１受信部１２が、管理装置返信情報をネットワーク５０経由で各設備機器管理装置２０ａ，・・・から受信する。検出装置１０の抽出部１５が、管理装置返信情報を、制御部１３経由で第１受信部１２から受け取る。検出装置１０の抽出部１５が、管理装置固有情報２８ａ，・・・を管理装置返信情報から抽出する。
【００５３】
したがって、問い合わせが管理装置プロセス２７ａ，・・・に向けたものであることを認識するので、管理装置プロセス２７ａ，・・・への問い合わせをネットワーク５０に接続された不特定の装置へネットワーク５０経由で送信しても、設備機器管理装置群２０（２０ａ，・・・）のみが管理装置返信情報を検出装置１０へ送信するようにすることが可能である。
【００５４】
（４）
ここでは、図２に示す検出装置１０の第１送信部１１が、管理装置プロセス２７ａ，・・・（図３参照）への問い合わせを、ネットワーク５０経由で送信する。図３に示す設備機器管理装置群２０（２０ａ，・・・）の各設備機器管理装置２０ａ，・・・の第２受信部２１ａ，・・・が、管理装置プロセス２７ａ，・・・への問い合わせをネットワーク５０経由で検出装置１０から受信する。各設備機器管理装置２０ａ，・・・の認識部２５ａ，・・・が、管理装置プロセス２７ａ，・・・への問い合わせを、制御部２３ａ，・・・経由で第２受信部２１ａ，・・・から受け取る。各設備機器管理装置２０ａ，・・・の認識部２５ａ，・・・が、問い合わせが管理装置プロセス２７ａ，・・・に向けたものであることを認識する。各設備機器管理装置２０ａ，・・・の記憶部２４ａ，・・・が、管理装置固有情報２８ａ，・・・を記憶する。制御部２３ａ，・・・が、管理装置プロセス２７ａ，・・・への問い合わせに基づいた情報、すなわち認識部２５ａ，・・・が認識した結果に基づいて、記憶部２４ａ，・・・を参照して管理装置固有情報２８ａ，・・・を取得する。制御部２３ａ，・・・が、管理装置プロセス２７ａ，・・・への問い合わせに基づいて、管理装置固有情報２８ａ，・・・を含めて管理装置返信情報を生成する。各設備機器管理装置２０ａ，・・・の第２送信部２２ａ，・・・が、管理装置返信情報を制御部２３ａ，・・・から受け取る。各設備機器管理装置２０ａ，・・・の第２送信部２２ａ，・・・が、管理装置プロセス２７ａ，・・・への問い合わせに基づいて、管理装置返信情報に管理装置固有情報２８ａ，・・・を含めて、管理装置返信情報をネットワーク５０経由で検出装置１０へ送信する。検出装置１０の第１受信部１２が、管理装置返信情報をネットワーク５０経由で各設備機器管理装置２０ａ，・・・から受信する。検出装置１０の抽出部１５が、管理装置返信情報を、制御部１３経由で第１受信部１２から受け取る。検出装置１０の抽出部１５が、管理装置固有情報２８ａ，・・・を管理装置返信情報から抽出する。検出装置１０の入力部１４に、各設備機器管理装置２０ａ，・・・の管理装置固有情報２８ａ，・・・に基づいて、各設備機器管理装置２０ａ，・・・の通信用固定アドレスが入力される。検出装置１０の制御部１３が、入力部１４に入力された通信用固定アドレスに基づいて、アドレス設定命令を生成する。検出装置１０の第１送信部１１が、アドレス設定命令を制御部１３経由で入力部１４から受け取る。検出装置１０の第１送信部１１が、アドレス設定命令を、ネットワーク５０に接続された不特定の装置へネットワーク５０経由で送信する。図３に示す各設備機器管理装置２０ａ，・・・の第２受信部２１ａ，・・・が、アドレス設定命令をネットワーク５０経由で検出装置１０から受信する。各設備機器管理装置２０ａ，・・・の認識部２５ａ，・・・が、アドレス設定命令を、制御部２３ａ，・・・経由で第２受信部２１ａ，・・・から受け取る。各設備機器管理装置２０ａ，・・・の認識部２５ａ，・・・が、アドレス設定命令が管理装置固有情報２８ａ，・・・へ対応した管理装置プロセス２７ａ，・・・に向けた命令であることを認識する。
【００５５】
したがって、アドレス設定命令が管理装置固有情報２８ａ，・・・へ対応した管理装置プロセス２７ａ，・・・に向けた命令であることを認識するので、アドレス設定命令をネットワーク５０に接続された不特定の装置へネットワーク５０経由で送信しても、設備機器管理装置群２０（２０ａ，・・・）のうち管理装置固有情報２８ａ，・・・に対応した装置のみがアドレス設定命令に従うべきであると認識することが可能である。
【００５６】
（５）
ここでは、図２に示す検出装置１０の第１送信部１１が、管理装置プロセス２７ａ，・・・（図３参照）への問い合わせを、ネットワーク５０経由で送信する。図３に示す設備機器管理装置群２０（２０ａ，・・・）の各設備機器管理装置２０ａ，・・・の第２受信部２１ａ，・・・が、管理装置プロセス２７ａ，・・・への問い合わせをネットワーク５０経由で検出装置１０から受信する。各設備機器管理装置２０ａ，・・・の認識部２５ａ，・・・が、管理装置プロセス２７ａ，・・・への問い合わせを、制御部２３ａ，・・・経由で第２受信部２１ａ，・・・から受け取る。各設備機器管理装置２０ａ，・・・の認識部２５ａ，・・・が、問い合わせが管理装置プロセス２７ａ，・・・に向けたものであることを認識する。各設備機器管理装置２０ａ，・・・の記憶部２４ａ，・・・が、管理装置固有情報２８ａ，・・・を記憶する。制御部２３ａ，・・・が、管理装置プロセス２７ａ，・・・への問い合わせに基づいた情報、すなわち認識部２５ａ，・・・が認識した結果に基づいて、記憶部２４ａ，・・・を参照して管理装置固有情報２８ａ，・・・を取得する。制御部２３ａ，・・・が、管理装置プロセス２７ａ，・・・への問い合わせに基づいて、管理装置固有情報２８ａ，・・・を含めて管理装置返信情報を生成する。各設備機器管理装置２０ａ，・・・の第２送信部２２ａ，・・・が、管理装置返信情報を制御部２３ａ，・・・から受け取る。各設備機器管理装置２０ａ，・・・の第２送信部２２ａ，・・・が、管理装置プロセス２７ａ，・・・への問い合わせに基づいて、管理装置返信情報に管理装置固有情報２８ａ，・・・を含めて、管理装置返信情報をネットワーク５０経由で検出装置１０へ送信する。検出装置１０の第１受信部１２が、管理装置返信情報をネットワーク５０経由で各設備機器管理装置２０ａ，・・・から受信する。検出装置１０の抽出部１５が、管理装置返信情報を、制御部１３経由で第１受信部１２から受け取る。検出装置１０の抽出部１５が、管理装置固有情報２８ａ，・・・を管理装置返信情報から抽出する。検出装置１０の入力部１４に、各設備機器管理装置２０ａ，・・・の管理装置固有情報２８ａ，・・・に基づいて、各設備機器管理装置２０ａ，・・・の通信用固定アドレスが入力される。検出装置１０の制御部１３が、入力部１４に入力された通信用固定アドレスに基づいて、アドレス設定命令を生成する。検出装置１０の第１送信部１１が、アドレス設定命令を制御部１３経由で入力部１４から受け取る。検出装置１０の第１送信部１１が、アドレス設定命令を、ネットワーク５０に接続された不特定の装置へネットワーク５０経由で送信する。図３に示す各設備機器管理装置２０ａ，・・・の第２受信部２１ａ，・・・が、アドレス設定命令をネットワーク５０経由で検出装置１０から受信する。各設備機器管理装置２０ａ，・・・の認識部２５ａ，・・・が、アドレス設定命令を、制御部２３ａ，・・・経由で第２受信部２１ａ，・・・から受け取る。各設備機器管理装置２０ａ，・・・の認識部２５ａ，・・・が、アドレス設定命令が管理装置固有情報２８ａ，・・・へ対応した管理装置プロセス２７ａ，・・・に向けた命令であることを認識する。各設備機器管理装置２０ａ，・・・のアドレス設定部２６ａ，・・・が、アドレス設定命令に基づいた情報、すなわち認識部２５ａ，・・・が認識した結果の情報を、制御部２３ａ，・・・経由で認識部２５ａ，・・・から受け取る。各設備機器管理装置２０ａ，・・・のアドレス設定部２６ａ，・・・が、アドレス設定命令に基づいて、記憶部２４ａ，・・・に通信用固定アドレスを記憶させる。各設備機器管理装置２０ａ，・・・の記憶部２４ａ，・・・が、通信用固定アドレスをさらに記憶する。
【００５７】
したがって、アドレス設定命令に基づいて記憶部２４ａ，・・・に通信用固定アドレスを記憶させるので、管理装置固有情報２８ａ，・・・へ対応した管理装置プロセス２７ａ，・・・に、管理装置固有情報２８ａ，・・・へ対応した通信用固定アドレスを設定させることが可能である。
（６）
ここでは、図２に示す検出装置１０の第１送信部１１が、管理装置プロセス２７ａ，・・・（図３参照）への問い合わせを、ネットワーク５０経由で送信する。図３に示す設備機器管理装置群２０（２０ａ，・・・）の各設備機器管理装置２０ａ，・・・の第２受信部２１ａ，・・・が、管理装置プロセス２７ａ，・・・への問い合わせをネットワーク５０経由で検出装置１０から受信する。各設備機器管理装置２０ａ，・・・の認識部２５ａ，・・・が、管理装置プロセス２７ａ，・・・への問い合わせを、制御部２３ａ，・・・経由で第２受信部２１ａ，・・・から受け取る。各設備機器管理装置２０ａ，・・・の認識部２５ａ，・・・が、問い合わせが管理装置プロセス２７ａ，・・・に向けたものであることを認識する。各設備機器管理装置２０ａ，・・・の記憶部２４ａ，・・・が、管理装置固有情報２８ａ，・・・を記憶する。制御部２３ａ，・・・が、管理装置プロセス２７ａ，・・・への問い合わせに基づいた情報、すなわち認識部２５ａ，・・・が認識した結果に基づいて、記憶部２４ａ，・・・を参照して管理装置固有情報２８ａ，・・・を取得する。制御部２３ａ，・・・が、管理装置プロセス２７ａ，・・・への問い合わせに基づいて、管理装置固有情報２８ａ，・・・を含めて管理装置返信情報を生成する。各設備機器管理装置２０ａ，・・・の第２送信部２２ａ，・・・が、管理装置返信情報を制御部２３ａ，・・・から受け取る。各設備機器管理装置２０ａ，・・・の第２送信部２２ａ，・・・が、管理装置プロセス２７ａ，・・・への問い合わせに基づいて、管理装置返信情報に管理装置固有情報２８ａ，・・・を含めて、管理装置返信情報をネットワーク５０経由で検出装置１０へ送信する。検出装置１０の第１受信部１２が、管理装置返信情報をネットワーク５０経由で各設備機器管理装置２０ａ，・・・から受信する。検出装置１０の抽出部１５が、管理装置返信情報を、制御部１３経由で第１受信部１２から受け取る。検出装置１０の抽出部１５が、管理装置固有情報２８ａ，・・・を管理装置返信情報から抽出する。検出装置１０の入力部１４に、各設備機器管理装置２０ａ，・・・の管理装置固有情報２８ａ，・・・に基づいて、各設備機器管理装置２０ａ，・・・の通信用固定アドレスが入力される。検出装置１０の制御部１３が、入力部１４に入力された通信用固定アドレスに基づいて、アドレス設定命令を生成する。検出装置１０の第１送信部１１が、アドレス設定命令を制御部１３経由で入力部１４から受け取る。検出装置１０の第１送信部１１が、アドレス設定命令を、ネットワーク５０に接続された不特定の装置へネットワーク５０経由で送信する。図３に示す各設備機器管理装置２０ａ，・・・の第２受信部２１ａ，・・・が、アドレス設定命令をネットワーク５０経由で検出装置１０から受信する。各設備機器管理装置２０ａ，・・・の認識部２５ａ，・・・が、アドレス設定命令を、制御部２３ａ，・・・経由で第２受信部２１ａ，・・・から受け取る。各設備機器管理装置２０ａ，・・・の認識部２５ａ，・・・が、アドレス設定命令が管理装置固有情報２８ａ，・・・へ対応した管理装置プロセス２７ａ，・・・に向けた命令であることを認識する。各設備機器管理装置２０ａ，・・・のアドレス設定部２６ａ，・・・が、アドレス設定命令に基づいた情報、すなわち認識部２５ａ，・・・が認識した結果の情報を、制御部２３ａ，・・・経由で認識部２５ａ，・・・から受け取る。各設備機器管理装置２０ａ，・・・のアドレス設定部２６ａ，・・・が、アドレス設定命令に基づいて、記憶部２４ａ，・・・に通信用固定アドレスを記憶させる。各設備機器管理装置２０ａ，・・・の記憶部２４ａ，・・・が、通信用固定アドレスをさらに記憶する。各設備機器管理装置２０ａ，・・・のアドレス設定部２６ａ，・・・が、記憶部２４ａ，・・・に通信用固定アドレスを記憶させたことに応じて、設定完了情報を、制御部２３ａ，・・・経由で第２送信部２２ａ，・・・へ渡す。各設備機器管理装置２０ａ，・・・の第２送信部２２ａ，・・・が、設定完了情報をネットワーク５０経由で検出装置１０へ送信する。
【００５８】
したがって、設定完了情報をネットワーク５０経由で検出装置１０へ送信するので、検出装置１０の第１受信部１２が設定完了情報をネットワーク５０経由で受信することが可能である。このため、検出装置１０において通信用固定アドレスの設定が完了したことを把握することが可能である。
＜第１実施形態の変形例＞
（Ａ）ネットワーク５０とネットワーク６０とは、同一のプロトコルを採用していてもよいし、異なるプロトコルを採用していてもよい。ネットワーク５０とネットワーク６０とが異なるプロトコルを採用している場合、各設備機器管理装置２０ａ，・・・は、プロトコル変換機能を有していてもよい。端末装置４０ａ，４０ｂ，・・・の数は、１つでもよいし、２つ以上であってもよい。設備機器管理装置２０ａ，・・・は、１つでもよいし、２つ以上であってもよい。設備機器群３０ａ，３０ｂ，・・・の設備機器３０ａａ，３０ａｂ，・・・，３０ｂａ，３０ｂｂ，・・・は、１つでもよいし、２つ以上であってもよい。設備機器３０ａａ，３０ａｂ，・・・，３０ｂａ，３０ｂｂ，・・・は、空調機であってもよいし、他の設備機器であってもよいし、それらが混在していてもよい。検出装置１０は、通常のパーソナルコンピュータ（ＰＣ、Ｍａｃｉｎｔｏｓｈ（登録商標）など）であってもよいし、エンジニアリングワークステーション（ＥＷＳ）であってもよい。検出装置１０は、設備機器管理装置群２０（２０ａ，・・・）を検出するためのプログラムである管理装置検出プログラムがインストールされていてもよいし、管理装置検出プログラムをネットワーク５０経由で取得してもよい。あるいは、管理装置検出プログラムはサーバ（図示せず）に記憶されており、検出装置１０はネットワーク５０経由で管理装置検出プログラムを実行してもよい。
【００５９】
（Ｂ）図２に示す抽出部１５が抽出する管理装置固有情報２８ａ，・・・（図３参照）は、設備機器管理装置２０ａ，・・・（図１参照）のＭＡＣ（Ｍｅｄｉａ  Ａｃｃｅｓｓ  Ｃｏｎｔｒｏｌ）アドレスであってもよいし、設備機器管理装置２０ａ，・・・（図１参照）の製造番号であってもよいし、設備機器管理装置群２０の各設備機器管理装置２０ａ，・・・（図１参照）を互いに区別できる情報であればどのような情報であってもよい。
【００６０】
（Ｃ）入力部１４に入力される通信用固定アドレスは、ＩＰアドレスでなくてもよい。すなわち、ネットワーク５０を経由した通信に用いられる固定アドレスであれば、どのようなアドレスであってもよい。例えば、ネットワーク５０が電話回線である場合は通信用固定アドレスが電話番号であってもよい。
［第２実施形態］
本発明の第２実施形態にかかる管理装置検出システム１００を図７に示す。図７において、図１〜図３の送信管理システム１の構成要素と同様の構成要素は同じ番号で示してある。管理装置検出システム１００は、主として、設備機器管理装置群１２０（１２０ａ，１２０ｂ，・・・）を検出するためのシステムである。
【００６１】
この管理装置検出システム１００は、基本的な構造は第１実施形態と同様であるが、検出装置１１０や端末装置群１４０（１４０ａ，１４０ｂ，・・・）に設定されている通信用固定アドレスと、設備機器管理装置群１２０（１２０ａ，１２０ｂ，・・・）に設定される通信用固定アドレスとが、ＩＰｖ６のＩＰアドレスである点で、第１実施形態と異なる。
【００６２】
また、管理装置検出システム１００が設備機器管理装置群１２０（１２０ａ，１２０ｂ，・・・）を検出する際のデータの流れが第１実施形態と異なる。図８に示すように、検出装置１１０から設備機器管理装置１２０ａへ送信されるパケットＰ１０１の送信先アドレスは、マルチキャストである。ここで、マルチキャストとしてネットワーク５０に接続された全ての装置が指定される。これにより、パケットＰ１０１は、ネットワーク５０（図７参照）に接続された不特定の装置へ送信される。パケットＰ１０１の送信元アドレスは、検出装置１１０の通信用固定アドレスである。設備機器管理装置１２０ａから検出装置１１０へ送信されるパケットＰ１０２の送信先アドレスは、検出装置１１０の通信用固定アドレスである。検出装置１１０から設備機器管理装置１２０ａへ送信されるパケットＰ１０３の送信先アドレスは、マルチキャストである。これにより、パケットＰ１０３は、ネットワーク５０（図７参照）に接続された不特定の装置へ送信される。パケットＰ１０３の送信元アドレスは、検出装置１１０の通信用固定アドレスである。設備機器管理装置１２０ａから検出装置１１０へ送信されるパケットＰ１０４の送信先アドレスは、検出装置１１０の通信用固定アドレスである。パケットＰ１０４の送信元アドレスは、設備機器管理装置１２０ａに通信用固定アドレスが設定されたので、設備機器管理装置１２０ａの通信用固定アドレスである。これらの点で第１実施形態と異なる。
【００６３】
設備機器管理装置群１２０（１２０ａ，１２０ｂ，・・・）の各設備機器管理装置１２０ａ，１２０ｂ，・・・の管理装置プロセス２７ａ，・・・（図３参照）への問い合わせを送信して管理装置返信情報を受信する点は、第１実施形態と同様である。したがって、このような管理装置検出システム１００によっても、設備機器管理装置群１２０（１２０ａ，１２０ｂ，・・・）の各設備機器管理装置１２０ａ，１２０ｂ，・・・の通信用固定アドレスが未設定でもネットワーク５０に接続された複数の装置から設備機器管理装置群１２０（１２０ａ，１２０ｂ，・・・）を選択的に検出することが可能である。
【産業上の利用可能性】
【００６４】
本発明にかかる管理装置検出システム、管理装置検出方法及び管理装置検出プログラムは、設備機器管理装置群の各設備機器管理装置の通信用固定アドレスが未設定でもネットワークに接続された装置から設備機器管理装置群を選択的に検出することができる管理装置検出システム、管理装置検出方法及び管理装置検出プログラムを提供するという効果を有し、管理装置検出システム、管理装置検出方法及び管理装置検出プログラム等として有用である。
【図面の簡単な説明】
【００６５】
【図１】本発明の第１実施形態による管理装置検出システムの構成図。
【図２】本発明の第１実施形態による検出装置の構成図。
【図３】本発明の第１実施形態による設備機器管理装置の構成図。
【図４】管理装置検出システムが設備機器管理装置群を検出する処理の流れを示すフローチャート。
【図５】管理装置検出システムが設備機器管理装置群を検出する処理の流れを示すフローチャート。
【図６】管理装置検出システムが設備機器管理装置群を検出する際のデータの流れを示すデータフロー図。
【図７】本発明の第２実施形態による管理装置検出システムの構成図。
【図８】管理装置検出システムが設備機器管理装置群を検出する際のデータの流れを示すデータフロー図。
【符号の説明】
【００６６】
１，１００  送信管理システム
１０，１１０  検出装置
２０，１２０  設備機器管理装置群
３０  設備機器群
４０，１４０  端末装置群
５０，６０  ネットワーク
【図１】
2005295063.tif 000003
【図２】
2005295063.tif 000004
【図３】
2005295063.tif 000005
【図４】
2005295063.tif 000006
【図５】
2005295063.tif 000007
【図６】
2005295063.tif 000008
【図７】
2005295063.tif 000009
【図８】
2005295063.tif 000010